【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
複数のコアネットワークノードと、移動先基地局と、無線端末とを含む移動通信システムにおける移動元基地局であって、
前記移動元基地局から前記移動先基地局へハンドオーバを行う前記無線端末と無線通信をなす手段と、
ハンドオーバ要求に含まれる第一の識別子を前記移動先基地局へ送信する手段とを含み、
前記第一の識別子は、前記移動元基地局が接続されているコアネットワークノードを特定するものであることを特徴とする移動元基地局。
【請求項２】
前記複数のコアネットワークノードは複数のエリアに配置されており、
前記送信する手段は、前記ハンドオーバ要求に含まれ、前記複数のエリアの一つを特定する第二の識別子を送信することを特徴とする請求項１記載の移動元基地局。
【請求項３】
前記送信する手段は、前記ハンドオーバ要求に含まれる前記無線端末のＱｏＳ（通信種別）情報を送信することを特徴とする請求項１または２記載の移動元基地局。
【請求項４】
前記ＱｏＳ情報は、保証伝送速度、最大伝送速度、遅延、誤り率及びトラフィッククラスの少なくとも一つを含むことを特徴とする請求項３記載の移動元基地局。
【請求項５】
複数のコアネットワークノードを含む移動通信システムにおける移動先基地局であって、
移動元基地局から前記移動先基地局へハンドオーバを行う無線端末と無線通信をなす手段と、
前記移動元基地局からのハンドオーバ要求に含まれる第一の識別子を受信する手段とを含み、
前記第一の識別子は、前記移動元基地局が接続されているコアネットワークノードを特定するものであることを特徴とする移動先基地局。
【請求項６】
前記複数のコアネットワークノードは複数のエリアに配置されており、
前記受信する手段は、前記ハンドオーバ要求に含まれ、前記複数のエリアの一つを特定する第二の識別子を受信することを特徴とする請求項５記載の移動先基地局。
【請求項７】
前記受信する手段は、前記ハンドオーバ要求に含まれる前記無線端末のＱｏＳ（通信種別）情報を受信することを特徴とする請求項５または６記載の移動先基地局。
【請求項８】
前記ＱｏＳ情報は、保証伝送速度、最大伝送速度、遅延、誤り率及びトラフィッククラスの少なくとも一つを含むことを特徴とする請求項７記載の移動先基地局。
【請求項９】
複数のコアネットワークノードと、移動元基地局と、移動先基地局と、無線端末とを含む移動通信システムであって、
前記無線端末は、前記移動元基地局から前記移動先基地局へハンドオーバを行い、
前記移動元基地局は、前記無線端末と無線通信を行うと共に、ハンドオーバ要求に含まれ、前記移動元基地局が接続されているコアネットワークノードを特定するための第一の識別子を前記移動先基地局へ送信し、
前記移動先基地局は、前記ハンドオーバ要求に含まれる前記第一の識別子を受信することを特徴とする移動通信システム。
【請求項１０】
前記複数のコアネットワークノードは複数のエリアに配置されており、
前記移動元基地局は、前記ハンドオーバ要求に含まれ、前記複数のエリアの一つを特定する第二の識別子を送信することを特徴とする請求項９記載の移動通信システム。
【請求項１１】
前記移動元基地局は、前記ハンドオーバ要求に含まれる前記無線端末のＱｏＳ（通信種別）情報を送信することを特徴とする請求項９または１０記載の移動通信システム。
【請求項１２】
前記ＱｏＳ情報は、保証伝送速度、最大伝送速度、遅延、誤り率及びトラフィッククラスの少なくとも一つを含むことを特徴とする請求項１１記載の移動通信システム。
【請求項１３】
複数のコアネットワークノードと、移動元基地局と、移動先基地局と、無線端末とを含む移動通信システムの方法であって、
前記移動元基地局において、前記移動元基地局から前記移動先基地局へハンドオーバを行う前記無線端末と無線通信をなすステップと、
前記移動元基地局において、ハンドオーバ要求に含まれる第一の識別子を前記移動先基地局へ送信するステップとを含み、
前記第一の識別子は、前記移動元基地局が接続されているコアネットワークノードを特定するものであることを特徴とする方法。
【請求項１４】
前記複数のコアネットワークノードは複数のエリアに配置されており、
前記移動元基地局は、前記ハンドオーバ要求に含まれ、前記複数のエリアの一つを特定する第二の識別子を送信することを特徴とする請求項１３記載の方法。
【請求項１５】
前記移動元基地局は、前記ハンドオーバ要求に含まれる前記無線端末のＱｏＳ（通信種別）情報を送信することを特徴とする請求項１３または１４記載の方法。
【請求項１６】
前記ＱｏＳ情報は、保証伝送速度、最大伝送速度、遅延、誤り率及びトラフィッククラスの少なくとも一つを含むことを特徴とする請求項１５記載の方法。
【請求項１７】
複数のコアネットワークノードと、移動先基地局と、無線端末とを含む移動通信システムにおける移動元基地局の動作をコンピュータに実行させるためのプログラムであって、
前記移動元基地局から前記移動先基地局へハンドオーバを行う前記無線端末と無線通信をなす処理と、
ハンドオーバ要求に含まれる第一の識別子を前記移動先基地局へ送信する処理とを含み、
前記第一の識別子は、前記移動元基地局が接続されているコアネットワークノードを特定するものであることを特徴とするコンピュータ読取り可能なプログラム。
【請求項１８】
複数のコアネットワークノードを含む移動通信システムにおける移動先基地局の動作をコンピュータに実行させるためのプログラムであって、
移動元基地局から前記移動先基地局へハンドオーバを行う無線端末と無線通信をなす処理と、
前記移動元基地局からのハンドオーバ要求に含まれる第一の識別子を受信する処理とを含み、
前記第一の識別子は、前記移動元基地局が接続されているコアネットワークノードを特定するものであることを特徴とするコンピュータ読取り可能なプログラム。
【手続補正２】
【補正対象書類名】明細書
【補正対象項目名】発明の名称
【補正方法】変更
【補正の内容】
【発明の名称】移動通信システム及びその方法並びにそれに用いる基地局
【手続補正３】
【補正対象書類名】明細書
【補正対象項目名】０００１
【補正方法】変更
【補正の内容】
【０００１】
本発明は移動通信システム及びその方法並びにそれに用いる基地局に関し、特に無線端末の移動に伴うハンドオーバ時におけるコアネットワークノードの選択方式に関するものである。
【手続補正４】
【補正対象書類名】明細書
【補正対象項目名】００１５
【補正方法】変更
【補正の内容】
【００１５】
本発明の目的は、無線端末の移動に伴って移動先基地局が適切なＣＮノードを選択することが可能な移動通信システム及びその方法並びにそれに用いる基地局を提供することである。
【手続補正５】
【補正対象書類名】明細書
【補正対象項目名】００１６
【補正方法】変更
【補正の内容】
【００１６】
本発明による基地局は、複数のコアネットワークノードと、移動先基地局と、無線端末とを含む移動通信システムにおける移動元基地局であって、
前記移動元基地局から前記移動先基地局へハンドオーバを行う前記無線端末と無線通信をなす手段と、
ハンドオーバ要求に含まれる第一の識別子を前記移動先基地局へ送信する手段とを含み、
前記第一の識別子は、前記移動元基地局が接続されているコアネットワークノードを特定するものであることを特徴とする。
【手続補正６】
【補正対象書類名】明細書
【補正対象項目名】００１７
【補正方法】変更
【補正の内容】
【００１７】
本発明による他の基地局は、複数のコアネットワークノードを含む移動通信システムにおける移動先基地局であって、
移動元基地局から前記移動先基地局へハンドオーバを行う無線端末と無線通信をなす手段と、
前記移動元基地局からのハンドオーバ要求に含まれる第一の識別子を受信する手段とを含み、
前記第一の識別子は、前記移動元基地局が接続されているコアネットワークノードを特定するものであることを特徴とする。
【手続補正７】
【補正対象書類名】明細書
【補正対象項目名】００１８
【補正方法】変更
【補正の内容】
【００１８】
本発明による移動通信システムは、複数のコアネットワークノードと、移動元基地局と、移動先基地局と、無線端末とを含む移動通信システムであって、
前記無線端末は、前記移動元基地局から前記移動先基地局へハンドオーバを行い、
前記移動元基地局は、前記無線端末と無線通信を行うと共に、ハンドオーバ要求に含まれ、前記移動元基地局が接続されているコアネットワークノードを特定するための第一の識別子を前記移動先基地局へ送信し、
前記移動先基地局は、前記ハンドオーバ要求に含まれる前記第一の識別子を受信することを特徴とする。
【手続補正８】
【補正対象書類名】明細書
【補正対象項目名】００１９
【補正方法】変更
【補正の内容】
【００１９】
本発明による方法は、複数のコアネットワークノードと、移動元基地局と、移動先基地局と、無線端末とを含む移動通信システムの方法であって、
前記移動元基地局において、前記移動元基地局から前記移動先基地局へハンドオーバを行う前記無線端末と無線通信をなすステップと、
前記移動元基地局において、ハンドオーバ要求に含まれる第一の識別子を前記移動先基地局へ送信するステップとを含み、
前記第一の識別子は、前記移動元基地局が接続されているコアネットワークノードを特定するものであることを特徴とする。
【手続補正９】
【補正対象書類名】明細書
【補正対象項目名】００２０
【補正方法】変更
【補正の内容】
【００２０】
本発明によるプログラムは、複数のコアネットワークノードと、移動先基地局と、無線端末とを含む移動通信システムにおける移動元基地局の動作をコンピュータに実行させるためのプログラムであって、
前記移動元基地局から前記移動先基地局へハンドオーバを行う前記無線端末と無線通信をなす処理と、
ハンドオーバ要求に含まれる第一の識別子を前記移動先基地局へ送信する処理とを含み、
前記第一の識別子は、前記移動元基地局が接続されているコアネットワークノードを特定するものであることを特徴とする。
【手続補正１０】
【補正対象書類名】明細書
【補正対象項目名】００２１
【補正方法】変更
【補正の内容】
【００２１】
本発明による他のプログラムは、複数のコアネットワークノードを含む移動通信システムにおける移動先基地局の動作をコンピュータに実行させるためのプログラムであって、
移動元基地局から前記移動先基地局へハンドオーバを行う無線端末と無線通信をなす処理と、
前記移動元基地局からのハンドオーバ要求に含まれる第一の識別子を受信する処理とを含み、
前記第一の識別子は、前記移動元基地局が接続されているコアネットワークノードを特定するものであることを特徴とする。
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】